Podtech/llm-jp-corpus-v4-ja_patent huggingface dataset:
(57)【要約】  【課題】身分証明書には多様な偽造防止技術が施されている。ただ、身分証明書が本物であってもそれを所持する者が偽者である虞があり、その真偽を鑑別する方法としては主に顔写真による照合が採用されている。しかし、旅券や外国人登録証などの身分証明書に基づいて本人確認する場合において、これら身分証明書に貼付又は印刷されている顔写真のみに依拠する方法では人種の違い等により鑑別が困難な場合がある。  【解決手段】そこで、本発明は身分証明書に直接本人の顎模型及び歯痕を付すことにより、本人確認の際に咬噛させる被咬体の歯痕と身分証明書の顎模型とを噛み合わせる等して整合性を見ることによって真偽を鑑別する。  【選択図】図２
2007062234.tif 000002
【特許請求の範囲】
【請求項１】
旅券や外国人登録証明書などの身分を証明する文書であって、身分証明書本人の顎模型又は歯痕、若しくは顎模型及び歯痕の双方を具備したことを特徴とする。
【発明の詳細な説明】
【技術分野】
【０００１】
本発明は、顎模型及び歯痕を用いた個人認証に関する。
【背景技術】
【０００２】
例えば、犯罪捜査において歯痕から犯人を割り出す場合、現場に遺留された食品や物体などの歯痕、被疑者の顎模型、現場に遺留された同種類の材料を被疑者本人に直接噛ませた対象物、の３点が揃っていることが歯痕鑑定の必要条件とされている。
【０００３】
また、歯並びから個人を認証する技術としては、予め登録した歯並び画像と被認証者を撮影することで得る歯並び画像とを照合する特許文献１などがある。
【特許文献１】特開２０００−２９３６８９号公報
【発明の開示】
【発明が解決しようとする課題】
【０００４】
身分証明書には多様な偽造防止技術が施されている。ただ、身分証明書が本物であってもそれを所持する者が偽者である虞があり、その真偽を鑑別する方法としては主に顔写真による照合が採用されている。しかし、旅券や外国人登録証明書などの身分証明書に基づいて本人確認する場合において、これら身分証明書に貼付又は印刷されている顔写真のみに依拠する方法では人種の違い等により鑑別が困難な場合がある。
【０００５】
そうした事態に対処すべく、顔写真の他に指紋などの生体情報を付して生体情報に基づいて本人確認する場合もあるが、その際には確認の度に指紋照合装置を要し、例えば特許文献１のような撮影した歯並び画像を照合する場合においても同様に設備が必要であり、照合装置のない環境においては本人確認できないという不便があった。
【課題を解決するための手段】
【０００６】
そこで、本発明は身分証明書に直接本人の顎模型又は歯痕、若しくは顎模型と歯痕の両方を付し、鑑別の際に咬噛させた被咬体と身分証明書の顎模型とを噛み合わせる等して整合性を見ることによって真偽を鑑別する。
【発明の効果】
【０００７】
身分証明書に顎模型及び歯痕を付し一体化させることで身分証明書に基づく本人確認の精度が向上する。これは歯形という生体情報でありながら、歯痕を顕在した被咬体と顎模型との噛み合わせを直接見ることで特別な照合装置を要することなく簡易な生体鑑別を実現する。特に人種の違いなどにより顔写真のみでは判別が困難な場合に有効な鑑別方法を供する。
【０００８】
尚、顎模型を作製する際に、身分証明書に付すものとは別個に顎模型及び歯痕を作製し保管しておくことで、本人確認に疑義がある場合により精度の高い鑑別を行うことができる。また、身分証明書や顎模型が変造された場合にも保管した顎模型及び歯痕との照合により変造を発見することができ、再発行の際に起こり得る第三者による成り代わり申請を防ぐこともできる。
【０００９】
また、事件や事故によって外観からの個人識別が不能な場合に、身分証明書と一体化した顎模型及び歯痕が個人識別の手段となる。そして、歯形は容易に変容しないことから、一度顎模型を作製すればカルテなどの歯科的資料がない場合であっても長期に亘り個人を特定することができ、公的機関が発行し広く普及した身分証明書に顎模型や歯痕があれば、事件や事故の事後処理を円滑に行うことができる。
【発明を実施するための最良の形態】
【００１０】
本発明の実施例を説明する。例えば、外国人登録証明書を発行する際に、まず申請人の顎模型１並びに歯痕２を付けた被咬体３を作製し、これら顎模型１と被咬体３は被申請人側が保管する。
【００１１】
次に、顎模型１及び歯痕２に基づいて、これらとは別個に外国人登録証明書自体の所定の部位にエンボス加工によって刻印するように表側は顎模型４を突起させ裏側は歯痕５に凹ませた外国人登録証明書６を設ける。尚、顎模型４及び歯痕５は鑑別する際に咬噛しやすく個人識別上最も有用な上顎左右の中切歯、側切歯、犬歯の６本の歯牙について作製し、歯牙は外国人登録証明書６の所持に支障がないよう１ｍｍないし２ｍｍの高さに突起させるのが望ましい。また、材質は変造を防止する特殊プラスチックにするのが好ましい。
【００１２】
そして、咬んだ印象面が明確に残る板ガム状の被咬体７を設け、本人確認する際に被咬体７を咬噛させることにより歯痕８を顕在させる。これに基づいて従前の顔写真による照合に加えて歯形についての照合を行う。すなわち、咬噛者の歯痕８と外国人登録証明書６の顎模型４とを噛み合わせ、両者の整合を鑑別し、更に外国人登録証明書６の歯痕５と歯痕８との形状を比較し、両者の同一性を鑑別する。
【００１３】
顎模型４と歯痕８との整合、及び歯痕５と歯痕８との形状比較を行うことで外国人登録証明書が証明する登録者と咬噛者との同一性を鑑別し本人確認が完了する。この鑑別方法によれば、被咬体７を所持してさえいれば、他に何ら照合装置を用いることなく、また時間的空間的な制約を受けずに、簡易に生体情報に基づいた鑑別を行うことができる。また、犯罪捜査において現場に遺留したチューインガム等の咬痕からする個人の特定と同等の精度で外国人登録証明書６の本人確認を実現する。
【００１４】
外国人登録証明書６の破損や偽変造などにより鑑別が不明朗で更に精度の高い鑑別を要する場合には、顎模型４及び歯痕５にかわって、被申請人側が保管する顎模型１及び歯痕２を用いて鑑別を行う。すなわち、歯痕２を有する被咬体３とは別に、歯痕のない被咬体に咬噛させ、この被咬体に顕在した歯痕と予め保存した歯痕２、及び顎模型３の３点に基づいて精査に鑑別する。
【００１５】
更に、顎模型１と歯痕２、及び顎模型４と歯痕５、とを相互に噛み合わせ、又は形状を比較することで、本人確認に加えて外国人登録証明書６自体の真偽を判別し、偽変造を発見することもできる。
【図面の簡単な説明】
【００１６】
【図１】本発明の実施例に用いる顎模型および歯痕の斜視図である。
【図２】本発明の実施例の表側を示す斜視図である。
【図３】本発明の実施例の裏側を示す斜視図である。
【図４】本発明の実施例に用いる被咬体の斜視図である。
【符号の説明】
【００１７】
１顎模型
２歯痕
３被咬体
４顎模型
５歯痕
６外国人登録証明書
７被咬体
８歯痕
【図１】
2007062234.tif 000003
【図２】
2007062234.tif 000004
【図３】
2007062234.tif 000005
【図４】
2007062234.tif 000006
(57)【要約】      （修正有）【課題】自動車車内において足の悪い身障者の乗車、振り向き姿勢に対し、ぶらさがる力を、補助するものが無く姿勢が不安定になることを解決すること。【解決手段】無駄にしている自動車天井部にアシストレバー１をつけることにより、自動車車内において姿勢の不安定さを解決する。【選択図】図１
2007062708.tif 000002
【特許請求の範囲】
【請求項１】
自動車の天井中央部にアシストレバーを取り付けること。
【請求項２】
天井中央部にアシストレバーを取り付けた自動車
【発明の詳細な説明】
【技術分野】
【０００１】本発明は、自動車において、自動車天井中央部分は空間があるにも関わらず、有効利用されないままである中央部分に、アシストレバーをつけることである。
【背景技術】
【０００２】従来の自動車にもフロントドア上部にアシストレバーがついているが、乗り降りの補助、または体の揺れ防止として使われているのみであり、車内動作を補助するには不十分である。
【発明の開示】
【発明が解決しようとしている課題】
【０００３】従来の自動車には、中央部分で、体をアシストするものがないため、車内動作が不安定となっている。
【発明の効果】
【０００４】本発明により、ぶら下がり、または引っ張りの動作を可能にすることで、足の不自由な身体障害者の自動車への乗車が楽になる。また、後部座席を振り向き、物を取ったり、子供の世話をしたりする時にフロントシート乗員の体を支えることなどが出来る。
【発明を実施するための最良の形態】
【０００５】図１、図２は、フロントシートの中央天井にアシストレバーをつけたことを特徴とする。これにより、車内での不安定動作時に体の補助に効果がある。【０００６】図３、図４は、フロントシートの背もたれあたりの天井中央に横方向にアシストレバーをつけたことを特徴とする。これにより、車内での不安定動作時に体の補助に効果がある。【０００７】図５、図６は、フロントシートの中央天井に前後方向に長いアシストレバーをつけたことを特徴とする。これにより、車内での不安定動作時に体の補助に効果がある。【０００８】これらのアシストレバーの材質は従来の樹脂、また樹脂コーティングされた金具でよい。
【産業上の利用可能性】
【０００９】本発明によるアシストレバーまたは、自動車は工業的に生産することが可能なため、産業利用可能性を有する。
【図面の簡単な説明】
【００１０】
【図１】フロントシートの中央天井にアシストレバーをつけた車体の正面図である。
【図２】フロントシートの中央天井にアシストレバーをつけた車体の右側面図である。
【図３】フロントシートの背もたれあたりの天井中央に横方向にアシストレバーをつけた車体の正面図である。
【図４】フロントシートの背もたれあたりの天井中央に横方向にアシストレバーをつけた車体の右側面図である。
【図５】シートの中央天井に前後方向に長いアシストレバーをつけた車体の正面図である。
【図６】シートの中央天井に前後方向に長いアシストレバーをつけた車体の右側面図である。
【符号の説明】
【００１１】１    天井部のアシストレバー
【図１】
2007062708.tif 000003
【図２】
2007062708.tif 000004
【図３】
2007062708.tif 000005
【図４】
2007062708.tif 000006
【図５】
2007062708.tif 000007
【図６】
2007062708.tif 000008